(57)【要約】【課題】適度な硬さを確保しつつ使用者に適した高さに調整することのできる枕を提供する。【解決手段】互いに上下に配置される一対の枕体１内に、各枕体１よりも硬い素材からなる芯材２をそれぞれ設けるとともに、各枕体１の間に第１及び第２の高さ調整部材３，４を出し入れすることにより、枕の高さを調整するようにしたので、適度な硬さを確保しつつ枕の高さを使用者ごとに調整することができ、使用者に合った最適な枕を得ることができる。【選択図】図７
0003177921.tif 000002
【実用新案登録請求の範囲】
【請求項１】
互いに上下に配置される一対の枕体と、
各枕体の内部にそれぞれ設けられ、各枕体よりも硬い素材からなる上下一対の芯材と、
各枕体の間に出し入れ自在に形成された高さ調整部材とを備えた
ことを特徴とする枕。
【請求項２】
前記高さ調整部材を複数備え、
各高さ調整部材を互いに厚さが異なるように形成した
ことを特徴とする請求項１記載の枕。
【請求項３】
前記各芯材を互いに硬さが異なるように形成した
ことを特徴とする請求項１または２記載の枕。
【請求項４】
前記芯材に、互いに使用者の身長方向に間隔をおいて形成された一対の凸部を設け、
各凸部の間には各凸部よりも高さの低い平面部を設けた
ことを特徴とする請求項１、２または３記載の枕。
【請求項５】
前記各芯材のうち一方の芯材の各凸部と他方の芯材の各凸部とを互いに高さが異なるように形成した
ことを特徴とする請求項４記載の枕。
【請求項６】
前記各芯材のうち少なくとも一方の芯材の一方の凸部と他方の凸部とを互いに高さが異なるように形成した
ことを特徴とする請求項４記載の枕。
【請求項７】
前記各枕体の少なくとも一部を互いに着脱自在に連結した
ことを特徴とする請求項１、２、３、４、５または６記載の枕。
【請求項８】
前記各枕体を互いに使用者の身長方向に対して反対向きに配置可能に形成した
ことを特徴とする請求項６記載の枕。
【考案の詳細な説明】
【技術分野】
【０００１】
本考案は、寝具として使用される枕に関するものである。
【背景技術】
【０００２】
一般に、寝具として使用される枕は、布製の袋内に綿を詰めてほぼ四角形状をなすように形成され、使用者の頭部を下方から支持するようになっている。このような枕において、その高さや硬さは使用者の寝心地に影響を与えるが、適正な高さや硬さは使用者によって異なる場合が多いため、使用者自身に合った枕を得ることは困難である。例えば、枕が軟らかすぎると頭部が過度に沈み込んでしまい、硬すぎると頭部の安定が悪いといった不具合がある。また、枕の高さが適正でないと、首への負担が大きくなるなどの問題もある。
【０００３】
そこで、従来では、上下一対の枕体の間に高さ調整部材を出し入れすることにより枕の高さを調整するようにしたものや（例えば、特許文献１）、枕体の内部に枕体よりも硬い素材からなる芯材を設け、表面側の軟らかさを保ちつつ適度な硬さを確保するようにしたものが知られている（例えば、特許文献２参照）。
【先行技術文献】
【特許文献】
【０００４】
【特許文献１】実用新案登録第３１４２８２３号公報
【特許文献２】実用新案登録第３１５５８４６号公報
【考案の概要】
【考案が解決しようとする課題】
【０００５】
しかしながら、快適な寝心地を得るためには、適度な硬さを確保しつつ枕の高さを使用者ごとに調整する必要があり、前者の従来例のように高さ調整が可能であっても全体が均一に軟らかいものや、後者の従来例のように芯材によって適度な硬さが得られても高さ調整ができないものでは、使用者に最適な枕を得ることができないという問題点があった。
【０００６】
本考案は前記問題点に鑑みてなされたものであり、その目的とするところは、適度な硬さを確保しつつ使用者に適した高さに調整することのできる枕を提供することにある。
【課題を解決するための手段】
【０００７】
本考案は前記目的を達成するために、互いに上下に配置される一対の枕体と、各枕体の内部にそれぞれ設けられ、各枕体よりも硬い素材からなる上下一対の芯材と、各枕体の間に出し入れ自在に形成された高さ調整部材とを備えている。
【０００８】
これにより、各枕体によって表面側の軟らかさが保たれるとともに、各芯材によって適度な硬さが確保され、更に、各枕体の間に高さ調整部材を出し入れすることにより枕の高さが調整されることから、適度な硬さを確保しつつ枕の高さを使用者ごとに調整することができる。使用者に合った最適な枕を得ることができる。
【考案の効果】
【０００９】
本考案によれば、適度な硬さを確保しつつ枕の高さを使用者ごとに調整することができるので、使用者に合った最適な枕を得ることができ、常に快適な寝心地を得ることができる。
【図面の簡単な説明】
【００１０】
【図１】本考案の第１の実施形態を枕の斜視図
【図２】枕の平面図
【図３】芯材の斜視図
【図４】第１の高さ調整部材の斜視図
【図５】第２の高さ調整部材芯材の斜視図
【図６】枕の側面断面図
【図７】枕体及び高さ調整部材の側面断面図
【図８】高さ調整部材を用いた枕の側面断面図
【図９】本考案の第２の実施形態を枕の側面断面図
【図１０】本考案の第３の実施形態を枕の側面断面図
【図１１】本考案の第４の実施形態を枕の平面図
【図１２】枕体の分離状態を示す側面断面図
【図１３】枕の側面断面図
【考案を実施するための形態】
【００１１】
図１乃至図８は本考案の第１の実施形態を示すもので、寝具として用いられる枕を示すものである。
【００１２】
本実施形態の枕は、互いに上下に配置される一対の枕体１と、各枕体１の内部にそれぞれ設けられた上下一対の芯材２と、各枕体１の間に出し入れ自在に形成された第１の高さ調整部材３及び第２の高さ調整部材４とから構成されている。
【００１３】
各枕体１は、布製の袋内にポリエステル等からなる綿１ａを詰めて略四角形状をなすように形成され、上下方向の対向面はそれぞれ平面状に形成されている。各枕体１は、前後方向（使用者の身長方向）の一辺を互いに連結され、前後方向の他の一辺と幅方向の両辺はファスナ１ｂにより連続して開閉可能に連結されている。即ち、ファスナ１ｂを外すことにより、各枕体１の間が開放されるようになっている。
【００１４】
各芯材２は、例えばウレタン等、各枕体１の綿１ａよりも硬い素材からなり、その対向面（上面または底面）は枕体１よりもやや小さい四角形状の平面をなすように形成されている。上方の芯材２の上面側と下方の芯材２の下面側には、互いに前後方向（使用者の身長方向）に間隔をおいて形成された断面略半球状の一対の凸部２ａが設けられ、各凸部２ａの間には各凸部２ａよりも高さの低い平面部２ｂが設けられている。この場合、図６に示すように使用者の頭部Ｔが各凸部２ａの間に保持されるようになっている。
【００１５】
第１及び第２の高さ調整部材３，４は、例えばウレタン等、各枕体１の綿１ａよりも硬い素材からなり、上面及び底面が枕体１よりもやや小さい四角形状の平面をなすようにシート状に形成されている。この場合、第１の高さ調整部材３は、その厚さＡ1 が第２の高さ調整部材４の厚さＡ2 よりも薄くなるように形成されている。第１及び第２の高さ調整部材３，４は、図７に示すようにファスナ１ｂを外して開放した各枕体１の間に配置可能になっている。
【００１６】
以上のように構成された枕は、図６に示すように敷き布団Ｍの上に置いて使用され、使用者の頭部Ｔを下方から支持するようになっている。この場合、各枕体１内には、枕体１よりも硬い素材からなる芯材２がそれぞれ設けられているので、各枕体１によって表面側の軟らかさが保たれるとともに、各芯材２によって適度な硬さが確保される。また、各枕体１内に第１及び第２の高さ調整部材３，４を入れていないときの各枕体１の全体の高さＨ1 が使用者にとって低い場合は、図７に示すように各枕体１の間に第１及び第２の高さ調整部材３，４の少なくとも一方を配置して枕の高さを調整する。その際、図８に示すように第１及び第２の高さ調整部材３，４の両方を用いたときの各枕体１の全体の高さＨ2 （＝Ｈ1 ＋Ａ1 ＋Ａ2 ）が使用者にとって高すぎる場合は、第１及び第２の高さ調整部材３，４の何れか一方を用いれば、高さＨ1 ，Ｈ2 の間の高さにすることができる。その際、第１の高さ調整部材３の厚さＡ1 は第２の高さ調整部材４の厚さＡ2 よりも薄いので、第１及び第２の高さ調整部材３，４の何れを用いるかによって高さの微調整が可能である。
【００１７】
このように、本実施形態の枕によれば、互いに上下に配置される一対の枕体１内に、各枕体１よりも硬い素材からなる芯材２をそれぞれ設けるとともに、各枕体１の間に第１及び第２の高さ調整部材３，４を出し入れすることにより、枕の高さを調整するようにしたので、適度な硬さを確保しつつ枕の高さを使用者ごとに調整することができ、使用者に合った最適な枕を得ることができる。
【００１８】
また、第１及び第２の高さ調整部材３，４を互いに厚さ寸法が異なるように形成したので、各高さ調整部材３，４の何れか一方を用いることにより枕の高さを微調整することができ、使用者に合った高さの枕を得る上で極めて有利である。尚、本実施形態では二つの高さ調整部材３，４を用いたものを示したが、高さ調整部材の数はこれに限定されるものではない。
【００１９】
また、各枕体１の一部をファスナ１ｂによって互いに着脱自在に連結したので、各枕体１間に各高さ調整部材３，４を容易に出し入れすることができるとともに、ファスナ１ｂを閉めることにより各高さ調整部材３，４を各枕体１間に確実に保持することができるので、各枕体１に対する各高さ調整部材３，４の位置ずれを防止することができる。
【００２０】
図９は本発明の第２の実施形態を示すもので、第１の実施形態と同等の構成部分には同一の符号を付して示す。
【００２１】
本実施形態の枕は、各枕体１に互いに硬さの異なる芯材２，５を設けたもので、一方の芯材２は第１の実施形態と同様の硬さの素材からなり、他方の芯材５は一方の芯材２よりも硬い素材からなる。この場合、他方の芯材５は、例えば一方の芯材２よりも密度の高いウレタンを用いることにより、一方の芯材２よりも硬くなっている。また、他方の芯材５には、第１の実施形態と同様、一対の凸部５ａ及び平面部５ｂが設けられている。
【００２２】
本実施形態では、図９(a) に示すように一方の芯材２が設けられた枕体１を上方に配置して使用すれば、軟らかい方の芯材２によって使用者の頭部が支持され、図９(b) に示すように各枕体１を上下反対にして他方の芯材５が設けられた枕体１を上方に配置して使用すれば、硬い方の芯材５によって使用者の頭部が支持される。これにより、各芯材２，５によって適度な硬さが得られるだけでなく、各芯材２，５による硬さを好みに応じて変えることができ、使用者に合った硬さの枕を得る上で極めて有利である。
【００２３】
また、図示していないが、第１の実施形態と同様、第１及び第２の高さ調整部材３，４を用いれば、本実施形態においても枕の高さを調整することができるので、硬さと高さの両方を使用者に応じて調整することができる。
【００２４】
図１０は本発明の第３の実施形態を示すもので、第１の実施形態と同等の構成部分には同一の符号を付して示す。
【００２５】
本実施形態の枕は、一方の芯材２の各凸部２ａの高さと他方の芯材６の各凸部６ａの高さが互いに異なるもので、一方の芯材２の各凸部２ａは高さＢ1 に形成され、他方の芯材６の各凸部６ａは一方の芯材２の各凸部２ａよりも低い高さＢ2 に形成されている。この場合、他方の芯材６の各凸部６ａ間には、第１の実施形態と同様、各凸部６ａよりも高さの低い平面部６ｂが設けられている。
【００２６】
本実施形態では、図１０(a) に示すように一方の芯材２が設けられた枕体１を上方に配置して使用すれば、高さ寸法の大きい各凸部２ａの間に使用者の頭部が保持され、図１０(b) に示すように各枕体１を上下反対にして他方の芯材６が設けられた枕体１を上方に配置して使用すれば、高さ寸法の小さい各凸部６ａの間に使用者の頭部が保持される。これにより、各凸部２ａ，６ａの高さを好みに応じて変えることができ、使用者に合った各凸部２ａ，６ａの高さの枕を得る上で極めて有利である。
【００２７】
また、図示していないが、第１の実施形態と同様、第１及び第２の高さ調整部材３，４を用いれば、本実施形態においても枕の高さを調整することができるので、各凸部２ａ，６ａの高さのみならず、各枕体１の全体の高さも調整することができる。更に、第２の実施形態と同様、各芯材２，６を互いに硬さが異なるように形成すれば、より多様な調整が可能となる。
【００２８】
図１１乃至図１３は本発明の第４の実施形態を示すもので、第１の実施形態と同等の構成部分には同一の符号を付して示す。
【００２９】
本実施形態の枕は、一方の芯材７の一方の凸部７ａと他方の凸部７ｂとが互いに高さが異なり、他方の芯材８の一方の凸部８ａと他方の凸部８ｂとが互いに高さが異なるものである。この場合、一方の芯材７の一方の凸部７ａと他方の芯材８の一方の凸部８ａは、それぞれ第３の実施形態と同様の高さＢ1 に形成され、一方の芯材７の他方の凸部７ｂと他方の芯材８の他方の凸部８ｂは、一方の芯材７の一方の凸部７ａ及び他方の芯材８の一方の凸部８ａよりも低い高さＢ2 に形成されている。この場合、第１の実施形態と同等、一方の芯材７の各凸部７ａ，７ｂ間には、各凸部７ａ，７ｂよりも高さの低い平面部７ｃが設けられ、他方の芯材８の各凸部８ａ，８ｂ間には、各凸部８ａ，８ｂよりも高さの低い平面部８ｃが設けられている。
【００３０】
また、本実施形態の各枕体１は、前後方向（使用者の身長方向）の一辺と幅方向の一辺とを第１のファスナ１ｃによって連続して開閉可能に連結され、前後方向の他の一辺と幅方向の他の一辺とを第２のファスナ１ｄによって連続して開閉可能に連結されている。これにより、第１及び第２のファスナ１ｃ，１ｄを外せば、各枕体１が互いに分離し、各枕体１の間に第１及び第２の高さ調整部材３，４を出し入れすることができる。この場合、第１及び第２のファスナ１ｃ，１ｄは、枕体１の中心に対して点対称に配置されることから、一方の枕体１に対して他方の枕体１を前後方向反対向きにして連結することができる。
【００３１】
本実施形態では、図１３(a) に示すように、高さ寸法の大きい凸部７ａ，８ａ同士と、高さ寸法の小さい凸部７ｂ，８ｂ同士がそれぞれ同じ位置になるように各枕体１を連結することにより、前後方向一方の各凸部７ａ，８ａの高さＢ3 を前後方向他方の各凸部７ｂ，８ｂの高さＢ4 よりも大きくすることができる。この場合、下方の芯材８の各凸部８ａ，８ｂは互いに高さが異なるので、敷き布団Ｍ上に置くと、各平面部７ｃ，８ｃが前後方向に傾斜する。
【００３２】
また、図１３(b) に示すように、高さ寸法の大きい凸部７ａと高さ寸法の小さい凸部８ｂがそれぞれ同じ位置になるように、一方の枕体１に対して他方の枕体１を前後方向反対向きにして配置することにより、前後方向一方の各凸部７ａ，８ｂの高さと、前後方向他方の各凸部７ｂ，８ａの高さを互いに同じ高さＢ5 にすることができる。この場合も、下方の芯材８の各凸部８ａ，８ｂは互いに高さが異なるので、敷き布団Ｍ上に置くと、各平面部７ｃ，８ｃが前後方向に傾斜する。
【００３３】
このように、本実施形態では、各平面部７ｃ，８ｃを前後方向に傾斜させるとともに、前後の各凸部を互いに異なる高さＢ3 ，Ｂ4 または同じ高さＢ5 にすることができるので、より多様な調整が可能となり、使用者に合った枕を得る上で極めて有利である。
【００３４】
また、図示していないが、第１の実施形態と同様、第１及び第２の高さ調整部材３，４を用いれば、本実施形態においても枕の高さを調整することができるので、前述のように芯材７，８の前後方向の向きを変えるだけでなく、各枕体１の全体の高さも使用者に応じて調整することができる。更に、第２の実施形態と同様、各芯材７，８を互いに硬さが異なるように形成すれば、より多様な調整が可能となる。
【００３５】
尚、前記第４の実施形態では、一方の芯材２の一方の凸部７ａと他方の凸部７ｂとが互いに高さが異なり、他方の芯材８の一方の凸部８ａと他方の凸部８ｂとが互いに高さが異なるようにしたものを示したが、各芯材７，８のうち何れか一方の各凸部の高さが互いに異なるようにしてもよい。
【符号の説明】
【００３６】
１…枕体、２…芯材、２ａ…凸部、２ｂ…平面部、３…第１の高さ調整部材、４…第２の高さ調整部材、５…芯材、５ａ…凸部、５ｂ…平面部、６…芯材、６ａ…凸部、６ｂ…平面部、７…芯材、７ａ，７ｂ…凸部、７ｃ…平面部、８ａ，８ｂ…凸部、８ｃ…平面部。
【図１】
0003177921.tif 000003
【図２】
0003177921.tif 000004
【図３】
0003177921.tif 000005
【図４】
0003177921.tif 000006
【図５】
0003177921.tif 000007
【図６】
0003177921.tif 000008
【図７】
0003177921.tif 000009
【図８】
0003177921.tif 000010
【図９】
0003177921.tif 000011
【図１０】
0003177921.tif 000012
【図１１】
0003177921.tif 000013
【図１２】
0003177921.tif 000014
【図１３】
0003177921.tif 000015